(57)【要約】【課題】添加弁の周りに添加剤が堆積することを抑制する。【解決手段】内燃機関１の排気通路２に設けられ、通路断面積が徐々に大きくなる拡張部３１１と、該拡張部３１１の下流側において通路断面積が徐々に小さくなる縮小部３１２と、を有する上流側ケーシング３１と、上流側ケーシング３１内において縮小部３１２よりも上流側に収容されて排気を浄化する浄化部３２と、上流側ケーシング３１よりも下流側に設けられる排気浄化触媒４２と、添加剤を噴射する添加弁５と、上流側ケーシング３１内における浄化部３２よりも下流側と、添加弁５とを連通する噴射通路５１と、上流側ケーシング３１内において浄化部３２よりも下流側を流通する排気を添加弁5の周りに流通させ、且つ、添加弁５から噴射される添加剤が衝突しない位置に設けられる導入部６と、を備える。【選択図】図１
2012031734.tif 000002
【特許請求の範囲】
【請求項１】
内燃機関の排気通路に設けられ、通路断面積が徐々に大きくなる拡張部と、該拡張部の下流側において通路断面積が徐々に小さくなる縮小部と、を有する上流側ケーシングと、
前記上流側ケーシング内において前記縮小部よりも上流側に収容されて排気を浄化する浄化部と、
前記上流側ケーシングよりも下流側に設けられる排気浄化触媒と、
添加剤を噴射する添加弁と、
前記上流側ケーシング内における前記浄化部よりも下流側と、前記添加弁とを連通する噴射通路と、
前記上流側ケーシング内において前記浄化部よりも下流側を流通する排気を前記添加弁の周りに流通させ、且つ、前記添加弁から噴射される添加剤が衝突しない位置に設けられる導入部と、
を備える内燃機関の排気浄化装置。
【請求項２】
前記導入部の一端は、前記浄化部の外周よりも外側に位置し、他端は、前記噴射通路へ向く請求項１に記載の内燃機関の排気浄化装置。
【請求項３】
前記添加弁の周囲の温度を取得する取得部と、
前記導入部により前記噴射通路へ導入する排気の量を調節する調節部と、
前記取得部により取得される温度に応じて前記調節部を操作する制御部と、
を備える請求項１または２に記載の内燃機関の排気浄化装置。
【発明の詳細な説明】
【技術分野】
【０００１】
本発明は、内燃機関の排気浄化装置に関する。
【背景技術】
【０００２】
排気通路に酸化触媒及びフィルタを収容した上流側ケーシングと、選択還元型ＮＯx触
媒及びアンモニア酸化触媒を収容した下流側ケーシングと、を備え、上流側ケーシング内においてフィルタよりも下流側へ尿素水を供給する技術が知られている（例えば、特許文献１参照。）。この技術によれば、酸化触媒よりも下流側の温度が高い箇所であって通路断面積が大きな箇所に尿素水を供給することができるため、該尿素水の蒸発、分散、拡散を促進させることができる。これにより、ＮＯxの浄化率を高めることができる。
【０００３】
しかし、添加弁から添加される尿素水が該添加弁の周りに付着して水分が蒸発すると、固体の尿素が堆積する。この堆積した尿素により添加弁からの尿素水の噴霧が影響を受けると、該尿素水を排気中へ分散させることが困難となる虞がある。また、固体の尿素は温度の上昇と共に変化し、非水溶性のシアヌル酸が生成される。シアヌル酸は高温下で昇華させることが可能であるが、堆積している箇所によっては、要求される温度まで上昇しない場合もある。そして、堆積物が存在すると、添加弁から尿素水を噴射したときに該堆積物に尿素水が付着するので、触媒に対して必要量の尿素水を供給することができなくなったり、尿素水が触媒へ到達するまでの時間が長くなったりする虞がある。また、堆積物により噴霧の方向がずれると、排気中に添加剤を分散させることが困難となったり、蒸発や拡散が緩慢となったりする虞がある。これらにより、触媒における浄化率が低下する虞がある。
【０００４】
たとえば、添加弁を熱から保護するために、ケーシングに噴射通路を接続し、添加弁を噴射通路内に設けることがある（例えば、特許文献２参照。）。噴射通路は、通路断面積が小さいために、噴射通路の壁面に尿素が付着し易い。このため、シアヌル酸も堆積し易い。また、噴射通路に堆積物が存在すると、尿素水の噴霧が影響を受け易い。さらには、噴射通路が詰まって、尿素水の供給が困難となる虞もある。また、噴射通路内では排気の流通があまりないため、温度が上昇し難く、シアヌル酸等を除去することは困難である。
【先行技術文献】
【特許文献】
【０００５】
【特許文献１】特開２００８−１２７９９７号公報
【特許文献２】特開２００９−１５６０６９号公報
【特許文献３】特開２００７−０３２４７２号公報
【特許文献４】特開２００７−０００７８２号公報
【発明の概要】
【発明が解決しようとする課題】
【０００６】
本発明は、上記したような問題点に鑑みてなされたものであり、その目的は、添加弁の周りに添加剤が堆積することを抑制することにある。
【課題を解決するための手段】
【０００７】
上記課題を達成するために本発明による内燃機関の排気浄化装置は、
内燃機関の排気通路に設けられ、通路断面積が徐々に大きくなる拡張部と、該拡張部の下流側において通路断面積が徐々に小さくなる縮小部と、を有する上流側ケーシングと、
前記上流側ケーシング内において前記縮小部よりも上流側に収容されて排気を浄化する
浄化部と、
前記上流側ケーシングよりも下流側に設けられる排気浄化触媒と、
添加剤を噴射する添加弁と、
前記上流側ケーシング内における前記浄化部よりも下流側と、前記添加弁とを連通する噴射通路と、
前記上流側ケーシング内において前記浄化部よりも下流側を流通する排気を前記添加弁の周りに流通させ、且つ、前記添加弁から噴射される添加剤が衝突しない位置に設けられる導入部と、
を備える。
【０００８】
上流側ケーシングよりも下流側に設けられる排気浄化触媒は、添加剤の供給により排気を浄化したり、排気の温度を上昇させたり、浄化能力を回復したりする。添加弁は、添加剤として例えば還元剤または酸化剤を添加する。そして、この添加剤は、添加弁よりも下流側に設けられる排気浄化触媒で反応し、排気を浄化したり、または排気の温度を上昇させたりする。さらに、添加剤は排気浄化触媒の浄化能力を回復させるために用いても良い。すなわち、触媒は、排気浄化触媒は添加剤の供給を受けることにより、例えば排気を浄化したり、排気の温度を上昇させたり、または浄化能力が回復したりすることができる。
【０００９】
上流側ケーシングは、拡張部及び縮小部を有することにより、該上流側ケーシングよりも上流側及び下流側の排気通路に対して通路断面積が大きい。このため、上流側ケーシング内に添加剤を噴射することで、添加剤の蒸発を促進させることができる。また、浄化部が触媒を備えて構成されている場合には、該触媒にて排気の温度が上昇するため、より高い温度の排気中に添加剤を供給することができるので、添加剤の蒸発を促進させることができる。また、浄化部よりも下流側に添加剤を供給するため、添加剤が浄化部に付着することや、添加剤が浄化部で反応することを抑制できる。
【００１０】
添加弁から噴射される添加剤は、噴射通路を通って上流側ケーシング内に添加される。噴射通路は、上流側ケーシングの外周面の外側から該上流側ケーシングに接続している。なお、噴射通路は、上流側ケーシングを内側から外側に向かって凹ませることにより形成してもよい。噴射通路は、浄化部から流出する排気の流れから外れた位置に設けられる。このため、該噴射通路へ排気が流入することが抑制されるので、排気の熱により添加弁の温度が上昇することが抑制される。これにより、添加弁の過熱を抑制したり、添加弁の噴孔の詰まりを抑制したりできる。また、導入部により添加弁の周りに導入される排気の熱により、該添加弁の周りに堆積した固体の添加剤の温度を上昇させて気化させることができる。これにより、堆積物を除去することができるので、添加剤を適正に供給することができる。また、導入部は、添加弁から噴射される添加剤が衝突しない位置に設けられるため、添加剤が導入部に付着することが抑制されるため、添加剤の噴霧に対する影響を小さくすることができる。なお、導入部は板状のものであってもよく、パイプであってもよい。
【００１１】
また、本発明においては、前記導入部の一端は、前記浄化部の外周よりも外側に位置し、他端は、前記噴射通路へ向いていてもよい。
【００１２】
そうすると、導入部の一端は、浄化部から流出する排気の流れから外れた位置に突き出ていることになる。このため、浄化部を流通した温度の高い排気が噴射通路に直接導入されることを抑制できる。ここで、浄化部の外周よりも外側を流通する排気は、上流側ケーシングの壁面により熱が奪われるため、浄化部を流通した直後の排気よりも温度が低い。この温度が低い排気を噴射通路へ導入することにより、堆積物の温度上昇を抑制することができる。これにより、噴射通路に付着している添加剤が除去し難い物質へ変化することを抑制できるため、該添加剤を容易に除去することが可能となる。なお、導入部の一端は
、浄化部の外周面を排気の流れ方向で下流側に延長したときの該外周面よりも外側に位置しているとしてもよく、さらに、上流側ケーシングの壁面よりも内側に位置しているとしてもよい。また、他端は、噴射通路内に位置していてもよい。
【００１３】
また、本発明においては、前記添加弁の周囲の温度を取得する取得部と、
前記導入部により前記噴射通路へ導入する排気の量を調節する調節部と、
前記取得部により取得される温度に応じて前記調節部を操作する制御部と、
を備えることができる。
【００１４】
制御部は、たとえば、堆積物の除去に必要な温度となるように排気の量を調節してもよい。また、たとえば、添加弁が過熱しない温度となるように排気の量を調節してもよい。また、たとえば、堆積物の除去に必要な温度以上で且つ添加弁が過熱する温度未満となるように排気の量を調節してもよい。そうすると、添加弁の過熱を抑制しつつ、堆積物を除去することができる。たとえば、堆積物の除去に必要な温度となるまでは多量の排気を噴射通路へ導入し、堆積物の除去に必要な温度となった後は、噴射通路へ導入する排気の量を減少させるか又は排気の導入を停止させてもよい。
【発明の効果】
【００１５】
本発明によれば、添加弁の周りに添加剤が堆積することを抑制することができる。
【図面の簡単な説明】
【００１６】
【図１】実施例１に係る内燃機関の排気浄化装置の概略構成を示す図である。
【図２】尿素を１８０℃で加熱したときの時間毎の成分割合を示した図である。
【図３】温度と、温度の維持時間と、尿素水の状態との関係を示した図である。
【図４】実施例２に係る内燃機関の排気浄化装置の概略構成を示す図である。
【図５】実施例３に係る内燃機関の排気浄化装置の概略構成を示す図である。
【図６】実施例４に係る内燃機関の排気浄化装置の概略構成を示す図である。
【図７】実施例５に係る内燃機関の排気浄化装置の概略構成を示す図である。
【図８】実施例６に係る内燃機関の排気浄化装置の概略構成を示す図である。
【図９】実施例７に係る内燃機関の排気浄化装置の概略構成を示す図である。
【図１０】噴射通路の中心軸と直交する面で切断したときの断面図である。
【発明を実施するための形態】
【００１７】
以下、本発明に係る内燃機関の排気浄化装置の具体的な実施態様について図面に基づいて説明する。なお、下記の実施例は、可能な限り組み合わせることができる。
【実施例１】
【００１８】
図１は、本実施例に係る内燃機関の排気浄化装置の概略構成を示す図である。図１に示す内燃機関１は、４つの気筒を有する水冷式の４サイクル・ディーゼルエンジンである。なお、以下の実施例は、ガソリンエンジンであっても同様に適用することができる。
【００１９】
内燃機関１には、排気通路２が接続されている。排気通路２には、第１排気浄化装置３が設けられている。第１排気浄化装置３は、上流側ケーシング３１、及び該上流側ケーシング３１に収容されている触媒３２を備えて構成されている。触媒３２には、例えば酸化触媒、三元触媒、吸蔵還元型ＮＯx触媒又はＮＯx吸着触媒を挙げることができる。また、これらの触媒を担持するか上流に備えるパティキュレートフィルタを備えていても良い。なお、本実施例においては触媒３２が、本発明における浄化部に相当する。
【００２０】
上流側ケーシング３１は、触媒３２よりも上流側において、上流側から下流側へ向かって通路断面積が徐々に増加する拡張部３１１と、触媒３２よりも下流側において、上流側
から下流側へ向かって通路断面積が徐々に縮小する縮小部３１２と、を備えている。このため、触媒３２の通路断面積は、上流側ケーシング３１よりもすぐ上流側及び下流側の排気通路２の通路断面積よりも大きい。上流側ケーシング３１及び触媒３２は、断面がたとえば円形または楕円形、長円形であり、これらの中心軸をＡとする。また、触媒３２と上流側ケーシング３１との間には、触媒３２を保持するための触媒保持材３３が設けられている。
【００２１】
第１排気浄化装置３よりも下流の排気通路２には、第２排気浄化装置４が設けられている。第２排気浄化装置４は、下流側ケーシング４１、及び該下流側ケーシング４１に収容されている触媒４２を備えて構成されている。触媒４２には、例えば、吸蔵還元型ＮＯx
触媒、選択還元型ＮＯx触媒、酸化触媒、または三元触媒を挙げることができる。また、
これらの触媒を担持するか上流に備えるパティキュレートフィルタを備えていても良い。なお、本実施例においては触媒４２が、本発明における排気浄化触媒に相当する。
【００２２】
また、上流側ケーシング３１において触媒３２よりも下流側（縮小部３１２としてもよい）には、該上流側ケーシング３１の外周面よりも外側から噴射通路５１の一端が接続されている。この噴射通路５１の他端には、添加剤を噴射する添加弁５が取り付けられている。そして、添加弁５は、還元剤または酸化剤等の液状の添加剤を噴射する。添加剤には、例えば、燃料または尿素、アンモニアを用いることができる。添加剤に何を用いるのかは、第２排気浄化装置４に備わる触媒４２の種類に応じて決まる。そして、添加剤は、第２排気浄化装置４に備わる触媒４２にて反応する。なお、本実施例では、添加弁５から尿素水を噴射するものとして説明する。
【００２３】
上流側ケーシング３１において触媒３２よりも下流側（縮小部３１２としてもよい）には、排気を噴射通路５１へ導入するための導入板６が設けられている。本実施例における導入板６は、１箇所以上においてたとえば溶接、ボルト・ナット、またはリベットなどにより上流側ケーシング３１または噴射通路５１へ固定される。導入板６は、排気の流れ方向の上流側から下流側へ向けて、中心軸Ａ側から噴射通路５１側へ徐々に近付く面を有するたとえば金属またはセラミックを材料とした板である。導入板６は、たとえば平面、または下流側若しくは上流側に向かって凹んだ曲面により構成することができる。導入板６の一端は、触媒３２の外周面を排気の流れる方向（上流側ケーシング３１又は触媒３２の中心軸Ａの方向としてもよい）に沿って延長したと仮定したときに、該触媒３２の外周面Ｂよりも上流側ケーシング３１の中心軸Ａ側に位置する。すなわち、触媒３２の延長上に導入板６の一端が位置する。これにより、触媒３２を通過した排気の一部が導入板６に衝突し、その後、導入板６に沿って噴射通路５１へ向かって流れる。すなわち、触媒３２を通過した排気の一部を導入板６で捉えることができる。この排気は、触媒３２により未燃燃料などが反応することにより、温度が高くなっている。導入板６の他端は、噴射通路５１内に位置する。なお、導入板６の他端は、噴射通路５１に向かって形成されていればよく、上流側ケーシング３１の外周面よりも中心軸Ａ側に位置していてもよい。導入板６は、添加弁５からの添加剤が向かう方向（噴射方向としてもよい。図１の点線を参照。）から外して設けられる。すなわち、添加弁５から噴射される添加剤が導入板６に衝突しないように該導入板６が設けられる。なお、本実施例においては導入板６が、本発明における導入部に相当する。
【００２４】
ここで、添加弁５から排気中へ添加される添加剤が、排気の流れに乗って下流へと流れる。そして、添加剤が第２排気浄化装置４に備わる触媒４２にて反応することで、たとえば排気が浄化される。しかし、添加剤が噴射通路５１の壁面に付着すると、水分が蒸発して堆積する虞がある。
【００２５】
図２は、尿素を１８０℃で加熱したときの時間毎の成分割合を示した図である。最初は
尿素のみであるが、その後に、ビウレット、シアヌル酸、気化分（ＮＨ３を含むガス）が生成される。そして、経過時間が長くなるほど尿素の割合が減少し、シアヌル酸の割合が増加する。ここで、尿素はたとえば１３２℃でビウレットに変化し、ビウレットはたとえば１９０℃でシアヌル酸に変化し、シアヌル酸はたとえば３６０℃でシアン酸に変化する。シアン酸は気体であるため、噴射通路５１には、堆積しない。このため、噴射通路５１内の温度に応じて該噴射通路５１内の堆積物の量が変わる。
【００２６】
図３は、温度と、温度の維持時間と、尿素水の状態との関係を示した図である。１５０℃以上で固化が始まり、５００℃までは固体が残っている。しかし、たとえば５００℃以上で６０分以上維持した場合には、固体は残らない。
【００２７】
本実施例においては、導入板６を備えていることにより、噴射通路５１へ温度の高い排気を導入することができるため、噴射通路５１内を加熱することできる。このため、噴射通路５１内の堆積物を気化させて除去することができる。これにより、添加弁５から噴射される添加剤の噴霧の乱れなどを抑制することができる。また、堆積物により噴射通路５１が閉塞されることを抑制できる。さらには、添加剤を気化させることができるため、触媒４２へ添加剤が到達するまでの時間を短縮することができ、また、触媒４２へより多くの添加剤を供給することができる。このようにして、排気の浄化性能を高めることができる。
【００２８】
以上説明したように本実施例によれば、導入板６を備えていることにより、噴射通路５１内に添加剤が堆積することを抑制できる。これにより、排気の浄化効率を向上させることができる。
【００２９】
なお、本実施例では添加剤として尿素水を例に挙げて説明したが、温度を高めることより除去可能な他の添加剤（たとえばＨＣ）であっても同様に適用することができる。
【実施例２】
【００３０】
図４は、本実施例に係る内燃機関の排気浄化装置の概略構成を示す図である。本実施例においては、噴射通路５１へ排気を導入するために、導入板６１及びパイプ６２を設けている。その他の構成は実施例１と同じため説明を省略する。
【００３１】
本実施例に係る導入板６１の一端（中心軸Ａ側の端部）の位置及び形状は実施例１の導入板６と同じとする。また、導入板６１の他端（噴射通路５１側の端部）にパイプ６２が接続されている。パイプ６２は両端が開口しており、導入板６１に沿って流れてくる排気がパイプ６２の内部を通過するように、導入板６１における排気の上流側に向く面上に設けられている。そして、パイプ６２は、噴射通路５１へ向かって開口している。なお、パイプ６２は、通路断面積が添加弁５へ近付くに従って小さくなるテーパ形状であってもよい。なお、本実施例においては導入板６１及びパイプ６２が、本発明における導入部に相当する。
【００３２】
また、導入板６１及びパイプ６２は、添加弁５からの添加剤が向かう方向（噴射方向としてもよい）から外して設けられる。すなわち、添加弁５から噴射される添加剤が導入板６１及びパイプ６２に衝突しないように該導入板６１及びパイプ６２が設けられる。
【００３３】
このような、導入板６１及びパイプ６２を備えていることによっても、噴射通路５１内の温度を高めることができるため、噴射通路５１内に添加剤が堆積することを抑制できる。また、パイプ６２を用いることにより、添加剤の噴霧が乱れることを抑制できる。また、導入板６１とパイプ６２とを組み合わせることにより、剛性を高めることができるので、耐久性及び信頼性を向上させることができる一方、導入板６１のみを備えるものと比較
すると、導入板６１の振動を抑制することができるため、振動による騒音を低減することもできる。これらにより、排気の浄化効率を向上させることができる。
【実施例３】
【００３４】
図５は、本実施例に係る内燃機関の排気浄化装置の概略構成を示す図である。本実施例においては、導入板６３の形状が実施例１と相違する。その他の構成は実施例１と同じため説明を省略する。
【００３５】
本実施例に係る導入板６３の一端は、触媒３２の外周面を排気の流れる方向（上流側ケーシング３１又は触媒３２の中心軸Ａの方向としてもよい）に沿って延長したと仮定したときに、該触媒３２の外周面Ｂよりも外側（噴射通路５１側）で且つ上流側ケーシング３１の外周よりも内側（中心軸Ａ側）に位置する。すなわち、触媒３２の延長上の外側（触媒保持材３３の延長上）に導入板６３の一端が位置する。これにより、触媒３２を通過した直後の排気が導入板６３に直接衝突することが抑制される。そして、触媒３２の延長上の外側を流通する排気の一部が、導入板６３に沿って噴射通路５１へ向かって流れる。ここで、触媒３２の延長上の外側を流通する排気は、上流側ケーシング３１の壁面により熱が奪われるので、温度が比較的低い。また、導入板６３は、添加弁５からの添加剤が向かう方向（噴射方向としてもよい）から外して設けられる。すなわち、添加弁５から噴射される添加剤が導入板６３に衝突しないように該導入板６３が設けられる。なお、本実施例においては導入板６３が、本発明における導入部に相当する。
【００３６】
このように温度の比較的低い排気を噴射通路５１へ導入することにより、添加剤が非水溶性の物質に変化する前の状態で除去することができるため、添加剤の堆積を抑制できる。
【実施例４】
【００３７】
図６は、本実施例に係る内燃機関の排気浄化装置の概略構成を示す図である。本実施例においては、導入板６４及びパイプ６５の形状が実施例２と相違する。その他の構成は実施例２と同じため説明を省略する。
【００３８】
本実施例に係る導入板６４の一端（中心軸Ａ側の端部）の位置及び形状は実施例３の導入板６３と同じとする。
【００３９】
導入板６４の他端（噴射通路５１側の端部）には、パイプ６５が接続されている。パイプ６５は両端が開口しており、導入板６４に沿って流れてくる排気がパイプ６５の内部を通過するように、導入板６４における排気の上流側に向く面上に設けられている。そして、パイプ６５は、噴射通路５１へ向かって開口している。
【００４０】
また、導入板６４及びパイプ６５は、添加弁５からの添加剤が向かう方向（噴射方向としてもよい）から外して設けられる。すなわち、添加弁５から噴射される添加剤が導入板６４及びパイプ６５に衝突しないように該導入板６４及びパイプ６５が設けられる。なお、本実施例においては導入板６４及びパイプ６５が、本発明における導入部に相当する。
【００４１】
このような、導入板６４及びパイプ６５を備えていることによっても、温度の比較的低い排気を噴射通路５１へ導入することにより、添加剤が非水溶性の物質に変化する前の状態で除去することができるため、添加剤の堆積を抑制できる。
【実施例５】
【００４２】
図７は、本実施例に係る内燃機関の排気浄化装置の概略構成を示す図である。本実施例においては、導入板６６、パイプ６７、制御弁６８、制御装置１０、温度センサ１１を備
えている点で実施例１と相違する。その他の構成は実施例１と同じため説明を省略する。なお、導入板６６及びパイプ６７の機能については、実施例１〜４と同じであってもよい。また、図７においては、パイプ６７が上流側ケーシング３１の外部を通って添加弁５の近傍の噴射通路５１に接続されているが、これに代えて、パイプ６７が上流側ケーシング３１の内部を通っていてもよい。導入板６６の端部は、触媒３２の延長上に設けてもよく、触媒保持材３３の延長上に設けてもよい。
【００４３】
導入板６６に排気が衝突して、該導入板６６に沿って排気が流れると、この排気がパイプ６７へと導入される。そしてパイプ６７を流通した排気は、添加弁５の近傍の噴射通路５１に流出する。
【００４４】
パイプ６７の途中には、制御弁６８が設けられている。制御弁６８は、制御装置１０からの信号に応じて開閉する。また、噴射通路５１には、該噴射通路５１内のガス温度又は噴射通路５１の壁面温度を測定する温度センサ１１が取り付けられており、該温度センサ１１からの信号が制御装置１０に入力される。なお、温度センサ１１は、上流側ケーシング３１に取り付けられていてもよい。また、内燃機関１の運転状態（たとえば機関回転数及び機関負荷）に基づいて制御装置１０が噴射通路５１内のガス温度又は噴射通路５１の壁面温度を推定してもよい。これらの関係は予めマップ化しておいてもよい。
【００４５】
制御装置１０は、温度センサ１１により得られる温度に基づいて制御弁６８を制御する。たとえば温度センサ１１により得られる温度が堆積物の除去に必要な温度以上となるように制御弁６８を制御する。また、たとえば添加弁５の温度が過熱しない温度以下となるように制御弁６８を操作する。また、たとえば温度センサ１１により得られる温度が堆積物の除去に必要な温度以上で、且つ添加弁５の温度が過熱しない温度以下となるように制御弁６８を操作する。このようにして、添加弁５の過熱を抑制しつつ堆積物（水溶性または非水溶性の何れであってもよい）を除去することができる。
【００４６】
なお、本実施例においては導入板６６及びパイプ６７が、本発明における導入部に相当する。また、本実施例においては温度センサ１１が、本発明における取得部に相当する。また、本実施例においては制御弁６８が、本発明における調節部に相当する。また、本実施例においては制御装置１０が、本発明における制御部に相当する。
【実施例６】
【００４７】
図８は、本実施例に係る内燃機関の排気浄化装置の概略構成を示す図である。本実施例においては、噴射通路５１に排気を導入するための導入通路６９を制御弁７０内に備えている点で実施例５と相違する。その他の構成は実施例５と同じため説明を省略する。
【００４８】
制御弁７０は、制御装置１０からの信号に応じて角度が変化する。たとえば、導入通路６９が排気の流れの上流側に向くと導入通路６９内に排気が流通して噴射通路５１へ排気が導入される。また、導入通路６９が排気の流れと直角になるか、排気の流れの下流側に向くと、導入通路６９には排気が流通しなくなる。また、導入通路６９が排気の流れと平行となると、導入通路６９に流通する排気は、噴射通路５１には導入されずに下流へと流れる。このようにして、制御弁７０の角度を変化させることにより導入通路６９内の温度を調節することができる。
【００４９】
制御装置１０は、温度センサ１１により得られる温度に基づいて制御弁７０を制御する。たとえば温度センサ１１により得られる温度が堆積物の除去に必要な温度以上となるように制御弁７０を制御する。また、たとえば添加弁５の温度が過熱しない温度以下となるように制御弁７０を操作する。また、たとえば温度センサ１１により得られる温度が堆積物の除去に必要な温度以上で、且つ添加弁５の温度が過熱しない温度以下となるように制
御弁７０を操作する。噴射通路５１へ排気を導入するときと、導入しないときと、で夫々予め設定された角度となるように制御弁７０を操作してもよい。このようにして、添加弁５の過熱を抑制しつつ堆積物（水溶性または非水溶性の何れであってもよい）を除去することができる。
【００５０】
なお、本実施例においては導入通路６９が、本発明における導入部に相当する。また、本実施例においては温度センサ１１が、本発明における取得部に相当する。また、本実施例においては制御弁７０が、本発明における調節部に相当する。また、本実施例においては制御装置１０が、本発明における制御部に相当する。
【実施例７】
【００５１】
図９は、本実施例に係る内燃機関の排気浄化装置の概略構成を示す図である。また、図１０は、噴射通路５１の中心軸と直交する面で切断したときの断面図である。実施例５と異なる点について説明する。
【００５２】
本実施例では、噴射通路５１の周りに排気が流通する排気導入通路５２が設けられる。排気導入通路５２は、噴射通路５１の外周を囲むように形成されている。この噴射通路５１と排気導入通路５２とで、二重管が形成されている。排気導入通路５２は、添加弁５側の端部で閉塞し、上流側ケーシング３１側の端部で該上流側ケーシング３１内に向けて開口している。そして、排気導入通路５２の添加弁５側の端部にパイプ６７が接続されている。
【００５３】
導入板６６に排気が衝突して、該導入板６６に沿って排気が流れると、この排気がパイプ６７へと導入される。そしてパイプ６７を流通した排気は、排気導入通路５２に供給される。排気導入通路５２を流通した排気は、上流側ケーシング３１内に流出する。そして、排気が排気導入通路５２を流通するときに噴射通路５１を加熱することで、該噴射通路５１の堆積物を除去することができる。また、噴射通路５１内へ排気を直接導入しているのではないため、添加剤の噴霧に与える影響を小さくすることができる。また、添加弁５に排気が直接当たることを抑制できるため過熱を抑制できる。
【００５４】
制御装置１０は、温度センサ１１により得られる温度に基づいて制御弁７０を制御する点については実施例５と同じである。
【００５５】
なお、本実施例においては導入板６６及びパイプ６７が、本発明における導入部に相当する。また、本実施例においては温度センサ１１が、本発明における取得部に相当する。また、本実施例においては制御弁６８が、本発明における調節部に相当する。また、本実施例においては制御装置１０が、本発明における制御部に相当する。
【００５６】
（参考例）
上記導入板６  ，６１，６３，６４又はパイプ６２，６５を変位可能に保持する可動装置を備えていてもよい。可動装置には、たとえばアクチュエータやリンク機構など、機械的に導入板６  ，６１，６３，６４又はパイプ６２，６５を動かす装置を挙げることができる。また、たとえば、導入板６  ，６１，６３，６４又はパイプ６２，６５の板厚、固定方法、形状（リブまたは返しなどを含む）などにより固有振動数を調整することで、簡易且つ低コストでこれらを振動させることができる。この場合、導入板６  ，６１，６３，６４又はパイプ６２，６５自体が可動装置となる。さらには、可動装置として、バイメタルなどのように熱により変形するものを用いることで導入板６  ，６１，６３，６４又はパイプ６２，６５の角度を変更することができる。
【００５７】
このように導入板６  ，６１，６３，６４又はパイプ６２，６５を変位させることによ
り、排気の流量または排気の温度に応じて噴射通路５１への排気の導入箇所を調節することができる。
【符号の説明】
【００５８】
１     内燃機関
２     排気通路
３     第１排気浄化装置
４     第２排気浄化装置
５     添加弁
６     導入板
１０   制御装置
１１   温度センサ
３１   上流側ケーシング
３２   触媒
３３   触媒保持材
４１   下流側ケーシング
４２   触媒
５１   噴射通路
５２   排気導入通路
６１   導入板
６２   パイプ
６３   導入板
６４   導入板
６５   パイプ
６６   導入板
６７   パイプ
６８   制御弁
６９   導入通路
７０   制御弁
３１１ 拡張部
３１２ 縮小部
【図１】
2012031734.tif 000003
【図２】
2012031734.tif 000004
【図３】
2012031734.tif 000005
【図４】
2012031734.tif 000006
【図５】
2012031734.tif 000007
【図６】
2012031734.tif 000008
【図７】
2012031734.tif 000009
【図８】
2012031734.tif 000010
【図９】
2012031734.tif 000011
【図１０】
2012031734.tif 000012